(57)【要約】 【課題】  本発明は、レバーの回動操作時に、レバーがカムピンの軸方向に沿ってカムピンから離間するように変位することを規制可能なレバー式コネクタを提供する。【解決手段】  雌ハウジング１０には、雄ハウジング１１と嵌合した時に、雄ハウジング１１に形成されたカムピン１４が配された面とその外方において対向してレバー装着壁３９が設けられている。カムピン１４の側方には、雄ハウジング１１の嵌合方向に沿って係止部１５が形成されている。係止部１５は、レバー１２を回動操作する際に、レバー装着壁３９と連続する部位に形成された受け部４５と係止することで、レバー装着壁３９がカムピン１４の軸方向に沿ってカムピン１４から離間するように変位するのを規制する。これにより、レバー１２がカムピン１４から離間するように変位するのを間接的に規制できるから、カムピン１４のカム溝４８に対する引っかかり代が減少することを抑制できる。【選択図】  図８
2007048520.tif 000002
【特許請求の範囲】
【請求項１】
互いに嵌合可能な第１及び第２のコネクタハウジングを備えてなり、
前記第１のコネクタハウジングには、両コネクタハウジングが嵌合した状態において前記第２のコネクタハウジングに形成されたカムピンが配された面とその外方において対向する位置にレバー装着壁が設けられており、
前記レバー装着壁には前記カムピンと係合するカム溝が形成されたレバーが回動可能に取付けられており、
前記レバーを前記カムピンと前記カム溝とが係合した状態で回動操作することにより、両コネクタハウジングが嵌合するようになっているレバー式コネクタであって、
前記カムピンの側方には、前記第２のコネクタハウジングの嵌合方向に沿って係止部が形成されており、
前記係止部は、前記レバーを回動操作する際に、前記レバー装着壁と連続する部位に形成された受け部と係止することで、前記レバー装着壁が前記カムピンの軸方向に沿って前記カムピンから離間するように変位するのを規制可能となっていることを特徴とするレバー式コネクタ。
【請求項２】
前記第２のコネクタハウジングは、嵌合方向前方に開口すると共に前記第１のコネクタハウジングが嵌入するフード部を備えており、
前記係止部は、前記フード部の外側面から外方に突設される基部と、前記基部の先端に形成されて前記受け部と係合する開き規制部とからなり、全体として鉤状をなすと共に一体に突出するリブ状をなしていることを特徴とする請求項１記載のレバー式コネクタ。
【請求項３】
前記レバーは、前記第１のコネクタハウジングに対して、前記カムピンを前記カム溝に進入させる待受け位置と、両コネクタハウジングを正規嵌合させる嵌合位置との間で変位可能に取付けられており、
前記レバーには、前記レバーが前記待受け位置にある状態で前記第１のコネクタハウジングに形成された係止受け部と係合することで、前記レバーが前記嵌合位置に変位することを防止する回動規制部が形成されており、
前記係止部は、前記レバーが前記待受け位置にある状態で両コネクタハウジングを嵌合させたときに、前記回動規制部と当接して前記回動規制部を解除方向に変形させることで前記回動規制部と前記係止受け部との係合を解除可能となっていることを特徴とする請求項１または請求項２記載のレバー式コネクタ。
【発明の詳細な説明】
【技術分野】
【０００１】
本発明は、レバー式コネクタに関する。
【背景技術】
【０００２】
従来より、レバー式コネクタとしては、特許文献１に記載のものが知られている。このものは、互いに嵌合可能な防水コネクタ及び相手側コネクタを備えてなり、防水コネクタにはレバーが取付けられるようになっている。上記の防水コネクタには、両コネクタが嵌合した状態において相手側コネクタに形成されたカムピンと対向する位置に、前記カムピンと係合するカム溝が形成されたレバーを取付けるためのレバー装着壁が設けられており、このレバー装着壁に回動可能に取付けられたレバーを、カムピンとカム溝とが係合した状態で回動操作することにより、カムピンとカム溝とのカム作用によって両コネクタハウジングが嵌合するようになっている。
【特許文献１】特開２００３−３６９２０公報
【発明の開示】
【発明が解決しようとする課題】
【０００３】
ところで、上記の構成に係るレバー式コネクタにおいては、レバーを回動操作する際、両コネクタの嵌合抵抗により、カム溝の内側壁はカムピンにより強い力で押圧される。すると、上記の力を逃がそうとして、カム溝の形成されたレバーは、カムピンの軸方向に沿ってカムピンから離間するように変位する場合がある。その結果、カムピンとカム溝との引っかかり代が減少してしまい、レバーの回動操作により両コネクタを互いに引き寄せる作用が低下することが懸念される。
【０００４】
本発明は上記のような事情に基づいて完成されたものであって、レバーの回動操作時に、レバーがカムピンの軸方向に沿ってカムピンから離間するように変位することを規制可能なレバー式コネクタを提供することを目的とする。
【課題を解決するための手段】
【０００５】
上記の目的を達成するための手段として、請求項１の発明は、互いに嵌合可能な第１及び第２のコネクタハウジングを備えてなり、前記第１のコネクタハウジングには、両コネクタハウジングが嵌合した状態において前記第２のコネクタハウジングに形成されたカムピンが配された面とその外方において対向する位置にレバー装着壁が設けられており、前記レバー装着壁には前記カムピンと係合するカム溝が形成されたレバーが回動可能に取付けられており、前記レバーを前記カムピンと前記カム溝とが係合した状態で回動操作することにより、両コネクタハウジングが嵌合するようになっているレバー式コネクタであって、前記カムピンの側方には、前記第２のコネクタハウジングの嵌合方向に沿って係止部が形成されており、前記係止部は、前記レバーを回動操作する際に、前記レバー装着壁と連続する部位に形成された受け部と係止することで、前記レバー装着壁が前記カムピンの軸方向に沿って前記カムピンから離間するように変位するのを規制可能となっていることを特徴とする。
【０００６】
請求項２の発明は、請求項１に記載のものにおいて、前記第２のコネクタハウジングは、嵌合方向前方に開口すると共に前記第１のコネクタハウジングが嵌入するフード部を備えており、前記係止部は、前記フード部の外側面から外方に突設される基部と、前記基部の先端に形成されて前記受け部と係合する開き規制部とからなり、全体として鉤状をなすと共に一体に突出するリブ状をなしていることを特徴とする。
【０００７】
請求項３の発明は、請求項１または請求項２に記載のものにおいて、前記レバーは、前記第１のコネクタハウジングに対して、前記カムピンを前記カム溝に進入させる待受け位置と、両コネクタハウジングを正規嵌合させる嵌合位置との間で変位可能に取付けられており、前記レバーには、前記レバーが前記待受け位置にある状態で前記第１のコネクタハウジングに形成された係止受け部と係合することで、前記レバーが前記嵌合位置に変位することを防止する回動規制部が形成されており、前記係止部は、前記レバーが前記待受け位置にある状態で両コネクタハウジングを嵌合させたときに、前記回動規制部と当接して前記回動規制部を解除方向に変形させることで前記回動規制部と前記係止受け部との係合を解除可能となっていることを特徴とする。
【発明の効果】
【０００８】
＜請求項１の発明＞
請求項１の発明によれば、第２のコネクタハウジングの係止部は、第１のコネクタハウジングのレバー装着壁と連続する部位に形成された受け部と係止することで、レバー装着壁がカムピンの軸方向に沿ってカムピンから離間するように変位するのを規制することができる。これにより、レバーがカムピンから離間するように変位するのを間接的に規制できるようになっているから、カムピンとカム溝との引っかかり代が減少することを抑制できる。
【０００９】
＜請求項２の発明＞
請求項１の発明によれば、係止部として、例えば、フード部の前端縁から嵌合方向後方に向かって延びるスリットを形成し、このスリット内に、レバー装着壁から突設されると共に鉤状をなす受け部が嵌入してフード部と係合することにより、レバー装着壁がカムピンから離間するように変位することを規制することが考えられる。
【００１０】
しかしながら上記の構成によると、フード部にスリットを設ける必要があるため、フード部が全周に亘って連続した形状をなす防水コネクタには適用できないという問題点がある。
【００１１】
請求項２の発明によれば、係止部はフード部の外側面から外方に突設される構成となっているから、全周に亘って連続した形状のフード部に対しても係止部を形成することができる。この結果、全周に亘って連続した形状のフード部を備えた防水タイプのコネクタに対して本発明を適用できる。
【００１２】
さらに、フード部にリブ状をなす受け部が形成される構成となっているから、フード部の補強を行うことができる。
【００１３】
＜請求項３の発明＞
請求項３の発明によれば、第１のコネクタハウジングと第２のコネクタハウジングとを嵌合させることにより、係止部が回動規制部と当接して回動規制部と係止受け部との係合を解除できるようになっている。これにより、本来レバー装着壁の変位を規制するための係止部が、回動規制部と係止受け部との係合を解除する機能をも兼ねることができるから、回動規制部と係止受け部との係合を解除する構造を別途形成する場合に比べて、構造の簡素化を図ることができる。
【発明を実施するための最良の形態】
【００１４】
本発明に係るレバー式コネクタを防水コネクタに適用した一実施形態を図１ないし図９を参照しつつ説明する。本実施形態に係るレバー式コネクタは、互いに嵌合可能な雌コネクタハウジング（本発明に係る第１のコネクタハウジングに相当、以下雌ハウジング１０という）と、雄コネクタハウジング（本発明に係る第２のコネクタハウジングに相当、以下雄ハウジング１１という）とからなり、雌ハウジング１０にはレバー１２が回動可能に取付けられるようになっている。なお、以下の説明では両ハウジング１０，１１の嵌合方向を前方とする。
【００１５】
雄ハウジング１１は、合成樹脂製であり、前方に開口する共に、全周に亘って連続するフード部１３を備えている。フード部１３の上板の上側面には、幅方向の略中央付近であり、且つフード部１３の前端寄りの位置に、上方に突出するカムピン１４が形成されている。このカムピン１４は略円柱状をなし、軸方向に延びる直立軸により形成されている。
【００１６】
フード部１３の上板の上側面には、フード部１３の後端寄りの位置に、上方へ立ち上がる左右一対の指掛け部２０が形成されている。この指掛け部２０はカムピン１４に対して左右方向にずれた位置に配されており、指掛け部２０の内側の側縁部と、係止部１５の後端部とが連なっている。各指掛け部２０の後面は、後方から作業者が指を宛がうことができる指掛け面２１とされており、この指掛け面２１は、宛がった指が左右方向にずれないようにするために、上方から見て湾曲状に凹んだ形態となっている。
【００１７】
フード部１３の奥壁には、複数の雄端子金具２２が前後方向に貫通しており、雄端子金具２２の前端はフード部１３内に突出している。
【００１８】
雌ハウジング１０は、合成樹脂製であり、雌端子金具２３を収容する端子収容部２４と、この端子収容部２４の外方を包囲するように形成された外筒部２５とからなる。端子収容部２４と外筒部２５との間の空間は、雄ハウジング１１と雌ハウジング１０とが嵌合したときに雄ハウジング１１のフード部１３が収容される嵌合空間２６とされる。
【００１９】
端子収容部２４には、前後方向に貫通するキャビティ２７が形成されており、このキャビティ２７内に、電線２８の端末に配設された雌端子金具２３が収容されている。雌端子金具２３は、電線２８を圧着するバレル部２９と、このバレル部２９の前方に連なると共に雄端子金具２２が挿入される角筒部３０とを備えてなる。雌端子金具２３はキャビティ２７内に後方から挿入されて、キャビティ２７内に突設されたランス３１と係合することにより後方への抜け止めがなされている。さらに、端子収容部２４の前端部には前方からリテーナ３２が被着されることで、雌端子金具２３の二重係止がなされている。
【００２０】
バレル部２９の後方には防水ゴム栓３３が電線２８に嵌着されており、防水ゴム栓３３の外周に形成された複数条のリップ３４とキャビティ２７の内周壁とが密着することにより、キャビティ２７と防水ゴム栓３３との間のシールがなされるようになっている。また、端子収容部２４の外周壁には、前後方向の略中央付近に、ゴム製のシールリング３５が嵌着されており、シールリング３５の外周に形成された複数条のリップ３４と、雄ハウジング１１のフード部１３の内周壁とが密着することで、端子収容部２４とフード部１３との間のシールがなされるようになっている。
【００２１】
外筒部２５には、端子収容部２４の上方に、前後方向に貫通すると共にレバー１２を収容するためのレバー収容空間３６が形成されている。レバー収容空間３６は、外筒部２５の上面壁を構成する底壁３７と、底壁３７の左右両側縁から立ち上がる側壁３８と、左右両側壁３８の上端同士を連結すると共に、レバー１２が取付けられるレバー装着壁３９と、底壁３７、側壁３８及びレバー装着壁３９の前端同士を連結する前壁４０とから構成される。上述したレバー装着壁３９は、両ハウジング１０，１１が嵌合した状態において、カムピン１４が形成されたフード部１３の上面に対して、その外方（上方）に対向するように配されている。このレバー装着壁３９は外方に撓み変形可能になっている。レバー装着壁３９の内面からは、その後端寄りの位置に、下方に垂下して略円柱状をなす支軸４１が形成されている。
【００２２】
レバー収容空間３６の底壁３７には、その前端縁から後方に向かって略矩形状に切り欠かれた切欠部４２が形成されており、この切欠部４２によってレバー収容空間３６と嵌合空間２６とは上下に連通するようになっている。切欠部４２の後端部寄りの位置には、幅方向内方に突出する係止受け部４３が形成されており、切欠部４２と係止受け部４３との間に形成された段差に、後述する回動規制部１９が係合するようになっている。
【００２３】
レバー１２は合成樹脂製であり、上方から見て略半円形状の略板状をなすレバー本体４６と、このレバー本体４６の後端部のうち、図９における左端側に、左方に少し張り出して形成された操作部４７とを備えている。レバー１２は全体として上下対称な形状となっている。レバー１２は雌ハウジング１０のレバー収容空間３６内において、待受け位置と、嵌合位置との間で回動可能に取付けられている。ここで、待受け位置とは、レバー１２の本体に形成されたカム溝４８に、雄ハウジング１１に形成されたカムピン１４が進入するのを許容するレバー１２の位置（図６及び図７参照）をいい、嵌合位置とは、両ハウジング１０，１１が正規嵌合した状態におけるレバー１２の位置（図９参照）をいう。なお、以下の説明においては、レバー１２の説明における前後左右の向きについては、レバー１２が嵌合位置にある状態を基準とする（図９参照）。
【００２４】
レバー本体４６の中心には、軸孔４９が上下に貫通して形成されており、上述した支軸４１が貫通するようになっている。また、レバー本体４６における軸孔４９の前方には、軸孔４９を中心とする周方向及び径方向の双方に対して斜めをなすカム溝４８が形成されている。レバー本体４６における軸孔４９よりも右方の位置には、レバー１２を待受け位置に保持するための回動規制部１９が形成されている。この回動規制部１９は、前後方向に細長い形所をなし、その前端においてレバー本体４６に対して後方へ片持ち状に延出する形態となっている。この回動規制部１９は、その基端部（前端部）を支点として、上下方向に撓み変形可能になっている。回動規制部１９の後端部は、レバー１２が待受け位置にある場合に、上述した係止受け部４３と係合するようになっている。また、レバー１２が待受け位置にある場合、カム溝４８の入口は、レバー１２の支軸４１の前方に配されるようになっている。
【００２５】
レバー本体４６の後端部の左側には、前後方向に細長く延びて板状をなす撓みロック片５０が形成されている。この撓みロック片５０は、その前端から後方に延びる片持ち状をなしており、上下方向に撓み変形可能になっている。撓みロック片５０の前後方向の略中央付近には、上下方向に突出するロック突起５１が形成されている。撓みロック片５０は、レバー１２が嵌合位置にある状態で、上述のロック突起５１と、レバー収容空間３６内に左右対称に形成された一対の戻り規制部５２のうち上方から見て左側の戻り規制部５２Ａとが係合することで、レバー１２を嵌合位置に保持するようになっている（図９参照）。
【００２６】
レバー本体４６の上下両面には、撓みロック片５０の前端部が形成された領域に、他の部分よりも、レバー本体４６の板厚方向の内方に引っ込んで段差が形成されており、この段差部分は、レバー１２が待受け位置にある状態において、左側の戻り規制部５２Ａと係合することでレバー１２を待受け位置に保持する保持用段差部５３とされる（図６及び図７参照）。
【００２７】
レバー本体４６の上下両面には、軸孔４９からやや外方の位置からカム溝４８の入口に向かって、レバー本体４６の板厚方向の内方に引っ込んで、レバー１２を雌ハウジング１０に取付ける際に支軸４１を逃がすための支軸逃げ溝５４が形成されている。支軸逃げ溝５４のうち軸孔４９側の端部には、支軸４１がレバー本体４６を乗り越える動作を容易にするためのガイド面５５が形成されている。また、レバー本体４６の上下両面には、保持用段差部５３のやや前方の位置から、前方に延びると共に、レバー本体４６の板厚方向の内方に引っ込んで、レバー１２を雌ハウジング１０に取り付ける際に、戻り規制部５２を逃がすための戻り規制部逃げ溝５６が形成されている。戻り規制部逃げ溝５６の後端縁には、左側の戻り規制部５２Ａがレバー本体４６を乗り越える動作を容易にするためのガイド面５５が形成されている。また、レバー１２の後端部の右端縁には、レバー本体４６の板厚方向の内方に引っ込んで凹部５７が形成されており、この凹部５７は、レバー１２を雌ハウジング１０に取付ける際に右側の戻り規制部５２Ｂを逃がすようになっている。また、凹部５７の側壁は、レバー１２が嵌合位置にある状態において、右側の戻り規制部５２Ｂと係合してレバー１２を嵌合位置に保持するようになっている（図９参照）。
【００２８】
さて、雄ハウジング１１に形成されたカムピン１４の左右両側方には、前後方向（雄ハウジング１１の嵌合方向）に延びる一対の係止部１５が上方に突設されている。係止部１５は、フード部１３の上板の上側面から上方に突設された基部１６と、この基部１６の上端部から幅方向外方に延設された開き規制部１７とからなり、全体として前方から見て鉤状をなしている。各係止部１５の前端部には前下がり勾配のテーパ面１８が形成されており、回動規制部１９が係止部１５に乗り上がる動作を容易に行えるようになっている。
【００２９】
また、レバー収容空間３６の前壁４０には前方に開口する開口部４４が形成されており、この開口部４４の下端は切欠されており、上述した切欠部４２と連なって嵌合空間２６と連通するようになっている。この開口部４４の下端の左右両側縁には、幅方向内方に突出すると共に、両ハウジング１０，１１が嵌合した状態において雄ハウジング１１に形成された係止部１５の開き規制部１７と下方から当接する受け部４５が前後方向に延びて形成されている。この受け部４５は、レバー装着壁３９と、側壁３８、底壁３７及び前壁４０を介して連続している。
【００３０】
続いて、両ハウジング１０，１１の嵌合操作の各進行状態における各部材相互の関係について説明する。まず、図６に示すように、両ハウジング１０，１１を嵌合させる前の状態においては、雌ハウジング１０に装着されたレバー１２は、回動規制部１９が係止受け部４３に係合すると共に、保持用段差部５３が左側の戻り規制部５２Ａと係合することにより、待受け位置において回動不能に保持されている。この状態では、レバー１２のカム溝４８の入口が前方を向くようになっており、雄ハウジング１１にカムピン１４がカム溝４８に進入するのを許容するようになっている。
【００３１】
次に、両ハウジング１０，１１が図７に示す位置に移動した状態においては、カムピン１４がレバー１２のカム溝４８の入口に進入している。このとき係止部１５は切欠部４２内に進入しており、回動規制部１９が係止部１５のテーパ面１８に乗り上げて上方に撓み変形している。これにより、回動規制部１９と係止受け部４３との係合が解除されることで、レバー１２が待受け位置から図７における反時計回り方向に回動可能になっている。また、係止部１５の開き規制部１７の下方から受け部４５が摺接することにより、レバー装着壁３９が上方（カムピン１４の軸方向）へ変位してカムピン１４から離間することを規制するようになっている。また、係止部１５の基部１６のうち、左右方向の外側の側壁は、受け部４５の内側縁と摺接して、両ハウジング１０，１１の嵌合を案内するようになっている。
【００３２】
続いて、レバー１２が図８に示す位置に回動された状態においては、カムピン１４がレバー１２のカム溝４８に誘導されて、カム溝４８内を奥方に移動し、雌ハウジング１０と雄ハウジング１１とが互いに引き寄せられるように変位するようになっている。また、レバー１２のロック突起５１は、左側の戻り規制部５２Ａに乗り上げて、撓みロック片５０は上方に撓み変形するようになっている。
【００３３】
さらに、レバー１２が図９に示す位置に回動された状態においては、両ハウジング１０，１１は正規嵌合した状態にあり、この状態におけるレバー１２の位置が嵌合位置とされる。このとき、レバー１２の撓みロック片５０のロック突起５１は左側の戻り規制部５２Ａと係合することでレバー１２が時計回りに回動することを防止すると共に、凹部５７の側壁が右側の戻り規制部５２Ｂと係合することでレバー１２が反時計回りに回動することを防止するようになっている。また、係止部１５の前端縁と、切欠部４２の後端縁とが当接することにより両ハウジング１０，１１の前止まりがなされるようになっている。
【００３４】
続いて、本実施形態の作用、効果について説明する。雌ハウジング１０にレバー１２を組付ける際には、レバー収容空間３６のレバー装着壁３９を外方に撓み変形させると共に、レバー１２を待受け位置にあるときと同じ向き（姿勢）にして、後方からレバー収容空間３６内に進入させる。このとき、左側の戻り規制部５２Ａ（図６参照）はレバー１２の戻り規制部逃げ溝５６内に進入すると共に、右側の戻り規制部５２Ｂは、レバー１２の凹部５７内に進入し、また、支軸４１３８は、レバー１２のカム溝４８内に進入し、さらに支軸逃げ溝５４内に進入する。このとき、戻り規制部逃げ溝５６及び支軸逃げ溝５４には、ガイド面５５が形成されているから、左側の戻り規制部５２Ａ及び支軸４１の乗り上げ動作が容易になっている。
【００３５】
さらにレバー１２をレバー収容空間３６の奥方に進入させると、支軸４１は支軸逃げ溝５４の後端縁に設けられたガイド面５５に乗り上げ、軸孔４９に嵌合する。このとき、左側の戻り規制部５２Ａは、戻り規制部逃げ溝５６の後端縁に設けられたガイド面５５に乗り上げた後、復帰変形して、保持用段差部５３と後方から当接することで、レバー１２が図６における反時計回り方向に回動するのを規制する。また、係止片は、受け部４５に当接することにより、レバー１２が図６における反時計回り方向に回動するのを規制する。これにより、レバー１２は待受け位置において、正逆いずれの方向への回動も規制された状態に保持される。
【００３６】
この状態で、雄ハウジング１１のフード部１３を雌ハウジング１０に浅く嵌合させると、図７に示すように、カムピン１４がカム溝４８の入口に進入する。このとき、係止部１５の基部１６の外側面と切欠部４２の内側面とが摺接することで、両ハウジング１０，１１の嵌合が案内される。また、受け部４５の上面が、係止部１５の開き規制部１７の下面と下方から摺接することで、受け部４５と連なるレバー装着壁３９が上方（カムピン１４の軸方向）に撓み変形するのを防止することができる。また、係止部１５に回動規制部１９が乗り上げて上方に撓み変形することで、回動規制部１９と係止受け部４３との係合が解除され、レバー１２が図７における反時計回り方向に回動可能になる。このとき、係止部１５の前端部にはテーパ面１８が形成されているから、回動規制部１９が係止部１５に乗り上げる動作が容易になっている。
【００３７】
この状態から、操作部４７を押圧して、レバー１２を支軸４１を中心として反時計回り方向に回動させる。このとき、操作部４７の後面に対して雌ハウジング１０の斜め後方から親指の腹を宛がうと共に、雄ハウジング１１の左右両指掛け部２０の指掛け面２１に対し雄ハウジング１１の後方から人差し指と中指の腹を宛がい、操作部４７と指掛け部２０とを接近させるように（手を握るように）指に力を込めると、レバー１２を嵌合方向へ回動させることができる。レバー１２の回動が進行すると、カム溝４８とカムピン１４との係合によるカム作用により、両ハウジング１０，１１が嵌合する方向に互いに引き寄せられ、図８に示す位置に至る。このとき、両ハウジング１０，１１の嵌合抵抗により、カム溝４８の内側壁３８はカムピン１４から強い力で押圧される。すると、この力を逃がそうとして、レバー１２がカムピン１４の軸方向に沿ってカムピン１４から離間するように変位しようとする場合がある。このレバー１２が取付けられたレバー装着壁３９は、外方に撓み変形可能に形成されているから、レバー１２と共に外方（カムピン１４の軸方向）に撓み変形しやすくなっている。
【００３８】
そこで本実施形態においては、雄ハウジング１１には係止部１５を設けると共に、雌ハウジング１０には、レバー装着壁３９と連続する部位に受け部４５を設け、係止部１５の開き規制部１７に受け部４５が下方から当接する構成とした。これにより、レバー装着壁３９が外方（カムピン１４の軸方向）に撓み変形して、カムピン１４から離間するように変位することを規制するようになっている。その結果、レバー装着壁３９に取付けられたレバー１２が、カムピン１４の軸方向に沿ってカムピン１４から離間するように変位することを間接的に規制できる。これにより、カム溝４８に対するカムピン１４の引っかかり代が減少することを防止できるから、レバー１２の回動操作により両ハウジング１０，１１を互いに引き寄せる作用が低下することを防止できる。
【００３９】
さらに嵌合が進行して図９に示す状態になると、両ハウジング１０，１１の嵌合が完了する。この状態では、撓みロック片５０が復帰変形して、左側の戻り規制部５２Ａと、撓みロック片５０のロック突起５１とが係合して、レバー１２が図９における時計回り方向に回動するのを規制する。また、右側の戻り規制部５２Ｂと、凹部５７の側壁とが係合して、レバー１２が反時計回り方向に回動するのを規制する。そして、係止部１５の前端縁が切欠部４２の後端縁と当接することで、両ハウジング１０，１１の前止まりがなされる。
【００４０】
このロック状態から両ハウジング１０，１１を離脱させる際には、撓みロック片５０の後端部を下から指で押し上げて上方へ撓み変形させる。すると、ロック突起５１が左側の戻り規制部５２Ａから解離し、嵌合位置にあるレバー１２が待受け位置側への回動が共用されるようになる。このロック解除状態を保ったままで、操作部４７を摘んでレバー１２を時計回り方向に回動させる。すると、カムピン１４がカム溝４８に誘導されて、両ハウジング１０，１１が解離する方向に変位し、レバー１２が待受け位置に達すると、両ハウジング１０，１１は図７に示す状態に至る。この状態から、両ハウジング１０，１１を互いに後方へ引っ張ることで両ハウジング１０，１１を離脱させることができる。
【００４１】
上記の説明では、レバー１２は、待受け位置から嵌合位置に向かって反時計回り方向へ回動されると共に、嵌合位置では操作部４７が左端側に位置する向きで雌ハウジング１０に組付けられているが、本実施形態では、レバー１２を上記とは左右反転したしせいで雌ハウジング１０に組付けることもできる。レバー１２が上記と左右反転した状態で組み付けられた場合には、待受け位置から嵌合位置に向かって時計回り方向へ回動されると共に、嵌合位置では、操作部４７が右端側に位置する向きで雌ハウジング１０に組付けられる。また、レバー１２を雌ハウジング１０に組付けた後、レバー１２を待受け位置から嵌合位置にまで回動して両ハウジング１０，１１を嵌合させる手順は、上記とは左右対称となるので、説明は省略する。
【００４２】
以上説明したように、本実施形態においては、雄ハウジング１１の係止部１５は、雌ハウジング１０のレバー装着壁３９と連続する部位に形成された受け部４５と係止することで、レバー装着壁３９が上方（カムピン１４の軸方向）に変位し、カムピン１４から離間するのを規制することができる。これにより、レバー１２がカムピン１４から離間するように変位するのを間接的に規制できるから、カムピン１４とカム溝４８との引っかかり代が減少することを抑制できる。
【００４３】
また、係止部１５はフード部１３の外側面から外方に突設される構成となっているから、全周に亘って連続した形状のフード部１３に対しても係止部１５を形成することができる。この結果、全周に亘って連続した形状のフード部１３を備えた防水タイプのコネクタに対して本発明を適用できる。
【００４４】
さらに、フード部１３にリブ状をなす受け部４５が形成される構成となっているから、フード部１３の補強を行うことができる。
【００４５】
そのうえ、雌ハウジング１０と雄ハウジング１１とを嵌合させることにより、係止部１５が回動規制部１９と当接して回動規制部１９と係止受け部４３との係合を解除できるようになっている。これにより、本来レバー装着壁３９の変位を規制するための係止部１５に、回動規制部１９と係止受け部４３との係合を解除する機能をも兼ねさせることができるから、回動規制部１９と係止受け部４３との係合を解除する構造を別途形成する場合に比べて、構造の簡素化を図ることができる。
【００４６】
なお、本実施形態において、雄ハウジング１１に形成された指掛け部２０を省略した場合、カムピン１４は上方（軸方向）に突設された直立軸により形成されていることから上方へ型開きする金型により成形可能となっており、また、係止部１５は嵌合方向に延びると共に前方から見て鉤状をなしていることから前方へ型開きする金型によって成形可能となっている。このように指掛け部２０を省略した場合、雄ハウジング１１は上方及び前方へ型開きする金型により成形可能となる。この結果、例えば雄ハウジング１１の後面側が機器に直結する構成となっている場合など、後方への型抜き空間を形成することができないようなコネクタに対して適用する場合に有用となる。
【００４７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４８】
（１）本実施形態においては、係止部１５はフード部１３から外方へ突設すると共に、全体として鉤状に形成されてなる構成としたが、例えばレバー式コネクタが防水タイプでないなどフード部１３が全周に亘って連続している必要がない場合には、係止部１５は、フード部１３の前端縁から嵌合方向後方に延設されるスリットとしてもよい。この場合、第１ハウジング側の受け部４５は、例えばレバー装着壁３９から内方へ突設すると共に全体として鉤状に形成するなど、スリット内に嵌入してフード部１３と係合可能な構成とすればよい。
【００４９】
（２）本実施形態においては、係止部１５は、基部１６と、基部１６の先端から幅方向外方に延設された開き規制部１７とからなるものとしたが、これに限られず、開き規制部１７は、基部１６の先端から幅方向内方に延設される構成としてもよい。
【００５０】
（３）本実施形態においては、係止部１５は、両ハウジング１０，１１が嵌合した時に回動規制部１９と当接することで、回動規制部１９と係止受け部４３との係合を解除する構成としたが、これに限られず、回動規制部１９と係止受け部４３との係合を解除するための構造を別途形成してもよい。
【００５１】
（４）雄ハウジング１１は、車両に搭載されるエンジン等に直接に設けられる構成としてもよく、また、ワイヤーハーネスを構成する電線２８の端末に配設された雄端子金具２２を収容する構成としてもよい。
【００５２】
（５）本実施形態においては、レバー１２は板状をなしていたが、これに限られず、レバー１２は、一対の側板の端部を、板状をなす操作部４７により連結した略門形状をなすものとしてもよい。
【００５３】
（６）本実施形態においては、第１のコネクタハウジングは雌ハウジング１０とし、第２のコネクタハウジングは雄ハウジング１１としたが、これに限られず、第１のコネクタハウジングを雄ハウジング１１とし、第２のコネクタハウジングを雌ハウジング１０としてもよい。
【図面の簡単な説明】
【００５４】
【図１】本発明の一実施形態に係るレバー式コネクタの、雄ハウジング及び雌ハウジングの断面図
【図２】雄ハウジングの側面図
【図３】雄ハウジングの正面図
【図４】雌ハウジングの平面図
【図５】雌ハウジングの正面図
【図６】雄ハウジングの平面図と、雌ハウジングの一部切り欠き平面図
【図７】両ハウジングの嵌合初期状態を示す、雄ハウジングの平面図と雌ハウジングの一部切り欠き平面図
【図８】両ハウジングの嵌合途中の状態を示す、雄ハウジングの平面図と雌ハウジングの一部切り欠き平面図
【図９】両ハウジングの嵌合が完了した状態を示す、雄ハウジングの平面図と雌ハウジングの一部切り欠き平面図
【符号の説明】
【００５５】
１０…雌ハウジング（第１のコネクタハウジング）
１１…雄ハウジング（第２のコネクタハウジング）
１２…レバー
１３…フード部
１４…カムピン
１５…係止部
１６…基部
１７…開き規制部
１９…回動規制部
３９…レバー装着壁
４３…係止受け部
４５…受け部
４８…カム溝
【図１】
2007048520.tif 000003
【図２】
2007048520.tif 000004
【図３】
2007048520.tif 000005
【図４】
2007048520.tif 000006
【図５】
2007048520.tif 000007
【図６】
2007048520.tif 000008
【図７】
2007048520.tif 000009
【図８】
2007048520.tif 000010
【図９】
2007048520.tif 000011